(57)【要約】【課題】アナログ公衆回線網ＰＳＴＮに接続されているグループ３ファクシミリ装置に対して適切にファクシミリ通信を行うことができるようにしたネットワーク通信装置提供することを目的としている。【解決手段】音声セッションおよびファクシミリデータセッションを同時に確立し、それぞれデータのやり取りを行うことを可能としているので、Ｈ．３２３端末のネットワーク環境下においてファクシミリ通信を行う場合、相手端末の能力に合わせて音声セッションかファクシミリデータセッションを使い分けることができる。【選択図】　　　　図２
2004096326.tif 000002
【特許請求の範囲】
【請求項１】
ＩＰ網を介して通信を行う機能を備えたネットワーク通信装置において、
ファクシミリ通信能力および音声能力を含む呼接続用パケットを生成するパケット生成手段と、
ファクシミリ送信時、相手先ネットワーク通信装置に対して上記パケットによりファクシミリ通信チャネルおよび音声チャネルを接続要求し、ファクシミリ通信チャネルおよび音声チャネルを確立してファクシミリ送信を行う通信制御手段を備えることを特徴とするネットワーク通信装置。
【請求項２】
受信した呼接続情報に音声能力が含まれているか否かを検出する音声能力検出手段をさらに備え、
前記通信制御手段は、受信した呼接続用パケットの呼接続情報に音声能力が含まれていることを検出した場合には、ファクシミリ通信チャネルおよび音声チャネルを接続要求するようにしたことを特徴とする請求項１記載のネットワーク通信装置。
【請求項３】
前記通信制御手段は、送信時に第１の相手先ネットワーク通信装置を介して第２の相手先ネットワーク通信装置との通信が指定された場合には、ファクシミリ通信チャネルおよび音声チャネルを接続要求するようにしたことを特徴とする請求項１記載のネットワーク通信装置。
【請求項４】
前記通信制御手段は、音声チャネル上では、ＲＴＣ／ＲＴＣＰパケットのやりとりを行うことを特徴とする請求項２または請求項３記載のネットワーク通信装置。
【請求項５】
前記通信制御手段は、音声チャネル上では、擬似的な音声データパケットのやりとりを行うことを特徴とする請求項２または請求項３記載のネットワーク通信装置。
【請求項６】
前記通信制御手段は、ファクシミリ通信が終了するまでの間、音声チャネルの接続を維持するようにしたことを特徴とする請求項１または請求項２または請求項３または請求項４または請求項５記載のネットワーク通信装置。
【請求項７】
ＩＴＵ−Ｔ標準Ｔ．３８通信機能を備えたことを特徴とする請求項１または請求項２または請求項３または請求項４または請求項５記載または請求項６記載のネットワーク通信装置。
【請求項８】
ＩＰ網を介して通信を行う機能を備えたネットワーク通信装置の通信制御方法において、
ファクシミリ通信能力および音声能力を含む呼接続用パケットを生成するパケット生成手段を備え、
ファクシミリ送信時、相手先ネットワーク通信装置に対して上記パケットによりファクシミリ通信チャネルおよび音声チャネルを接続要求し、ファクシミリ通信チャネルおよび音声チャネルを確立してファクシミリ送信を行うようにしたことを特徴とするネットワーク通信装置の通信制御方法。
【請求項９】
ＩＰ網を介して通信を行う機能を備えた複数のネットワーク通信装置を有するネットワーク通信システムにおいて、
上記ネットワーク通信装置は、ファクシミリ通信能力および音声能力を含む呼接続用パケットを生成するとともに、
ファクシミリ送信時、相手先ネットワーク通信装置に対して上記パケットによりファクシミリ通信チャネルおよび音声チャネルを接続要求し、ファクシミリ通信チャネルおよび音声チャネルを確立してファクシミリ送信を行うようにしたことを特徴とするネットワーク通信システム。
【請求項１０】
ＩＰ網を介して通信を行う機能を備えたネットワーク通信装置に適用されるプログラムであって、
ファクシミリ通信能力および音声能力を含む呼接続用パケットを生成し、
ファクシミリ送信時、相手先ネットワーク通信装置に対して上記パケットによりファクシミリ通信チャネルおよび音声チャネルを接続要求し、ファクシミリ通信チャネルおよび音声チャネルを確立してファクシミリ送信を行うようにしたプログラム。
【請求項１１】
ＩＰ網を介して通信を行う機能を備えたネットワーク通信装置に適用されるプログラムデータを格納した記録媒体であって、
ファクシミリ通信能力および音声能力を含む呼接続用パケットを生成し、
ファクシミリ送信時、相手先ネットワーク通信装置に対して上記パケットによりファクシミリ通信チャネルおよび音声チャネルを接続要求し、ファクシミリ通信チャネルおよび音声チャネルを確立してファクシミリ送信を行うようにしたプログラムデータを格納したことを特徴とする記録媒体。
【発明の詳細な説明】
【０００１】
【発明の属する技術分野】
本発明は、ＩＰ網を介して通信を行う機能を備えたネットワーク通信装置、および、ＩＰ網を介して通信を行う機能を備えたネットワーク通信装置の通信制御方法、および、ＩＰ網を介して通信を行う機能を備えた複数のネットワーク通信装置を有するネットワーク通信システム、および、ＩＰ網を介して通信を行う機能を備えたネットワーク通信装置に適用されるプログラムデータを格納した記録媒体に関する。
【０００２】
【従来の技術】
従来、Ｈ．３２３端末のネットワーク環境下において、ＩＰ網を介してファクシミリ通信を行うために、例えば、ＩＴＵ−Ｔ標準Ｔ．３０信号をＩＰパケット化してやり取りするＩＴＵ−Ｔ標準Ｔ．３８方式や、ファクシミリデータを音声データとして通信を行うＩＴＵ−Ｔ標準Ｇ．７１１（ＰＣＭ）方式などが実用されている。
【０００３】
ここで、ＩＴＵ−Ｔ標準Ｔ．３８方式でファクシミリ通信を行う場合、音声能力は必須ではないため、ＩＴＵ−Ｔ標準Ｔ．３８に準拠したファクシミリ通信に必要な能力さえあれば通信可能であった。
【０００４】
また、ＩＴＵ−Ｔ標準Ｇ．７１１（ＰＣＭ）方式では、ファクシミリデータを音声データに変換し、それを音声チャネルでやり取りすれば通信可能であった。
【０００５】
したがって、ＩＴＵ−Ｔ標準Ｔ．３８方式でファクシミリ通信を行う場合には、ファクシミリ通信用の通信チャネルのみを確立すればよく、また、ＩＴＵ−Ｔ標準Ｇ．７１１（ＰＣＭ）方式でファクシミリ通信を行う場合には、音声チャネルのみを確立すればよい。
【０００６】
【発明が解決しようとする課題】
一方、近年、ＶｏＩＰ（Ｖｏｉｃｅ　ｏｖｅｒ　ＩＰ）ゲートウェイを介して、インターネット等のＩＰ網と、アナログ公衆回線網ＰＳＴＮを接続することで、ＩＰ網の内側の電話端末と、アナログ公衆回線網ＰＳＴＮに収容されている電話端末との間で通話が可能になりつつある。
【０００７】
したがって、Ｔ．３８方式でファクシミリ通信を行う場合、ＶｏＩＰゲートウェイを介して、アナログ公衆回線網ＰＳＴＮへ接続し、アナログ公衆回線網ＰＳＴＮに接続されているグループ３ファクシミリ装置との間でファクシミリ通信を行おうとする通信形態があらわれる。
【０００８】
ところで、ＶｏＩＰゲートウェイの中には、ファクシミリ通信のみを行おうとすると、接続が拒否する態様を示すものがあり、このようなＶｏＩＰゲートウェイを利用してアナログ公衆回線網ＰＳＴＮに接続されているグループ３ファクシミリ装置と接続しようとする場合、障害となっていた。
【０００９】
本発明は、かかる実情に鑑みてなされたものであり、適切にアナログ公衆回線網ＰＳＴＮに接続されているグループ３ファクシミリ装置に対してファクシミリ通信を行うことができるようにしたネットワーク通信装置提供することを目的としている。
【００１０】
【課題を解決するための手段】
本発明は、ＩＰ網を介して通信を行う機能を備えたネットワーク通信装置において、ファクシミリ通信能力および音声能力を含む呼接続用パケットを生成するパケット生成手段と、ファクシミリ送信時、相手先ネットワーク通信装置に対して上記パケットによりファクシミリ通信チャネルおよび音声チャネルを接続要求し、ファクシミリ通信チャネルおよび音声チャネルを確立してファクシミリ送信を行う通信制御手段を備えたものである。
【００１１】
また、受信した呼接続情報に音声能力が含まれているか否かを検出する音声能力検出手段をさらに備え、前記通信制御手段は、受信した呼接続用パケットの呼接続情報に音声能力が含まれていることを検出した場合には、ファクシミリ通信チャネルおよび音声チャネルを接続要求するようにしたものである。
【００１２】
また、前記通信制御手段は、送信時に第１の相手先ネットワーク通信装置を介して第２の相手先ネットワーク通信装置との通信が指定された場合には、ファクシミリ通信チャネルおよび音声チャネルを接続要求するようにしたものである。
【００１３】
また、前記通信制御手段は、音声チャネル上では、ＲＴＣ／ＲＴＣＰパケットのやりとりを行うようにしたものである。
【００１４】
また、前記通信制御手段は、音声チャネル上では、擬似的な音声データパケットのやりとりを行うようにしたものである。
【００１５】
また、前記通信制御手段は、ファクシミリ通信が終了するまでの間、音声チャネルの接続を維持するようにしたものである。
【００１６】
また、ＩＴＵ−Ｔ標準Ｔ．３８通信機能を備えたものである。
【００１７】
また、ＩＰ網を介して通信を行う機能を備えたネットワーク通信装置の通信制御方法において、ファクシミリ通信能力および音声能力を含む呼接続用パケットを生成するパケット生成手段を備え、ファクシミリ送信時、相手先ネットワーク通信装置に対して上記パケットによりファクシミリ通信チャネルおよび音声チャネルを接続要求し、ファクシミリ通信チャネルおよび音声チャネルを確立してファクシミリ送信を行うようにしたものである。
【００１８】
また、ＩＰ網を介して通信を行う機能を備えた複数のネットワーク通信装置を有するネットワーク通信システムにおいて、上記ネットワーク通信装置は、ファクシミリ通信能力および音声能力を含む呼接続用パケットを生成するとともに、ファクシミリ送信時、相手先ネットワーク通信装置に対して上記パケットによりファクシミリ通信チャネルおよび音声チャネルを接続要求し、ファクシミリ通信チャネルおよび音声チャネルを確立してファクシミリ送信を行うようにしたものである。
【００１９】
また、ＩＰ網を介して通信を行う機能を備えたネットワーク通信装置に適用されるプログラムであって、ファクシミリ通信能力および音声能力を含む呼接続用パケットを生成し、ファクシミリ送信時、相手先ネットワーク通信装置に対して上記パケットによりファクシミリ通信チャネルおよび音声チャネルを接続要求し、ファクシミリ通信チャネルおよび音声チャネルを確立してファクシミリ送信を行うようにしたものである。。
【００２０】
また、ＩＰ網を介して通信を行う機能を備えたネットワーク通信装置に適用されるプログラムデータを格納した記録媒体であって、ファクシミリ通信能力および音声能力を含む呼接続用パケットを生成し、ファクシミリ送信時、相手先ネットワーク通信装置に対して上記パケットによりファクシミリ通信チャネルおよび音声チャネルを接続要求し、ファクシミリ通信チャネルおよび音声チャネルを確立してファクシミリ送信を行うようにしたものである。
【００２１】
【発明の実施の形態】
以下、添付図面を参照しながら、本発明の実施の形態を詳細に説明する。
【００２２】
図１は、本発明の一実施例にかかる通信ネットワークの一例を示している。
【００２３】
同図において、ネットワーク通信装置ＦＸは、ＩＴＵ−Ｔ標準Ｔ．３８通信機能を備えており、インターネット（ＩＰ網）ＩＮＥＴを介して、他の通信端末装置との間で通信を行うことができる。
【００２４】
ＶｏＩＰゲートウェイ装置ＧＷは、インターネットＩＮＥＴと、アナログ公衆回線網ＰＳＴＮとの間を接続し、インターネットＩＮＥＴに接続されている端末装置（例えば、ネットワーク通信装置ＦＸ）と、アナログ公衆回線網ＰＳＴＮに接続されている通信装置（例えば、グループ３ファクシミリ装置ＧＸ）との間で通信を可能にするためのものである。
【００２５】
また、グループ３ファクシミリ装置ＧＸは、ＣＣＩＴＴ勧告Ｔ．３０，Ｔ．４等の通信機能を備え、アナログ公衆回線網ＰＳＴＮを介してファクシミリ通信を行うためのものである。
【００２６】
図２は、ネットワーク通信装置ＦＸの一例を示している。
【００２７】
同図において、システム制御部１は、このネットワーク通信装置ＦＸの各部の制御処理、および、リアルタイム伝送制御手順（ＩＴＵ−Ｔ標準Ｔ．３８手順）処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワーク通信装置ＦＸに固有な各種の情報を記憶するためのものであり、時計回路４は、現在時刻情報を出力するものである。
【００２８】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００２９】
符号化復号化部８は、画信号を符号化圧縮するとともに、符号化圧縮されている画情報を元の画信号に復号化するためのものであり、この場合には、画情報受信時のエラー検出を主目的として用いられる。また、画像蓄積装置９は、符号化圧縮された状態の画情報を多数記憶するためのものである。
【００３０】
インターネット通信制御部１０は、このネットワーク通信装置ＦＸをインターネットＩＮＥＴへ接続し、インターネットＩＮＥＴを介して種々のデータをやりとりするためのものであり、ＴＣＰ／ＩＰパケット解析部１１は、ＴＣＰモード時に、インターネット通信制御部１０が受信したＴＣＰ／ＩＰパケットを解析して受信情報を取り出すためのものであり、ＵＤＰパケット解析部１２は、ＵＤＰモード時に、インターネット通信制御部１０が受信したＵＤＰパケットを解析して受信情報を取り出すためのものである。
【００３１】
グループ３プロトコル情報生成部１３は、リアルタイム伝送手順において、ＴＣＰモード時はＴＣＰ／ＩＰパケット解析部１１から出力される受信情報を対応するグループ３伝送手順信号情報に変換するとともに、ＵＤＰモード時はＵＤＰパケット解析部１２から出力される受信情報を対応するグループ３伝送手順信号情報に変換するものである。
【００３２】
グループ３プロトコル情報取出部１４は、リアルタイム伝送手順において、送信するグループ３ファクシミリ伝送手順情報を取り出すためのものであり、ＴＣＰ／ＩＰパケット変換部１５は、ＴＣＰモード時、グループ３プロトコル情報取出部１４から出力されるグループ３ファクシミリ伝送手順情報をＴＣＰ／ＩＰパケットデータへ変換するためのものであり、その出力データは、インターネット通信制御部１０へ加えられる。
【００３３】
また、ＵＤＰパケット変換部１６は、ＵＤＰモード時、グループ３プロトコル情報取出部１４から出力されるグループ３ファクシミリ伝送手順情報をＵＤＰパケットデータへ変換するためのものであり、その出力データは、インターネット通信制御部１０へ加えられる。
【００３４】
これらの、システム制御部１、システムメモリ２、パラメータメモリ３、時計回路４、スキャナ５、プロッタ６、操作表示部７、符号化復号化部８、画像蓄積装置９、グループ３プロトコル情報生成部１３、および、グループ３プロトコル情報取出部１４は、内部バス１７に接続されており、これらの各要素間でのデータのやりとりは、主としてこの内部バス１７を介して行われている。
【００３５】
図３は、ネットワーク通信装置ＦＸが、ＶｏＩＰゲートウェイ装置ＧＷを介して、グループ３ファクシミリ装置ＧＸと通信するときの手順の一例を示している。
【００３６】
まず、ネットワーク通信装置ＦＸのユーザは、ＶｏＩＰゲートウェイ装置ＧＷの宛先情報と、最終宛先であるグループ３ファクシミリ装置ＧＸの宛先情報を指定した状態で、送信動作の開始を指令する。
【００３７】
これにより、ネットワーク通信装置ＦＸは、呼接続チャネルをＶｏＩＰゲートウェイ装置ＧＷとの間に確立して、メッセージＳＥＴＵＰを送出する。このメッセージＳＥＴＵＰには、自端末の通信機能および最終宛先（この場合は、グループ３ファクシミリ装置ＧＸ）の宛先情報が含まれる。また、この場合、メッセージＳＥＴＵＰには、自端末の通信機能として、Ｔ．３８通信機能（リアルタイムファクシミリ通信機能）と、音声通信機能が含まれる。
【００３８】
これにより、ＶｏＩＰゲートウェイ装置ＧＷは、指定された最終宛先であるグループ３ファクシミリ装置ＧＸへ発呼するとともに、ネットワーク通信装置ＦＸに対して、呼接続チャネル上で呼接続手順用のメッセージＣＡＬＬ　ＰＲＯＣＥＥＤＩＮＧ，ＡＬＥＲＴＩＮＧ，ＣＯＮＮＥＣＴを、所定の呼接続手順に従って順次送出する。
【００３９】
ここで、ＶｏＩＰゲートウェイ装置ＧＷからネットワーク通信装置ＦＸへ送出されるメッセージＣＡＬＬ　ＰＲＯＣＥＥＤＩＮＧ，ＡＬＥＲＴＩＮＧ，ＣＯＮＮＥＣＴには、ＯＬＣ（ＯｐｅｎＬｏｇｉｃａｌＣｈａｎｎｅｌ）情報が含まれる。
【００４０】
このＯＬＣ情報には、その中に着呼側端末が実際に通信を行う論理チャネル情報が設定されている。また、論理チャネル情報は複数設定される場合がある。例えば、この場合のように、Ｔ．３８通信機能と音声通信機能の２つの通信機能を要求した場合には、ＯＬＣ情報には、Ｔ．３８通信用の論理チャネル情報と音声通信用の論理チャネル情報が含まれる。
【００４１】
通常、指定したそれぞれの論理チャネルを利用して、Ｔ．３８通信と音声通信が行われるが、本実施例では、Ｔ．３８通信のみを行い、音声通信については、通信チャネルを確立するものの、ダミー通信を行う。
【００４２】
すなわち、ネットワーク通信装置ＦＸは、ＶｏＩＰゲートウェイ装置ＧＷより受信したメッセージＣＡＬＬ　ＰＲＯＣＥＥＤＩＮＧ，ＡＬＥＲＴＩＮＧ，ＣＯＮＮＥＣＴにＯＬＣ情報が含まれている場合、Ｔ．３８通信用に指定された論理チャネルをデータチャネルとしてＶｏＩＰゲートウェイ装置ＧＷとの間に確立するとともに、音声通信用に指定された論理チャネルを音声データチャネルとしてＶｏＩＰゲートウェイ装置ＧＷとの間に確立する。
【００４３】
そして、その後、データチャネルを用い、ＶｏＩＰゲートウェイ装置ＧＷを介して、グループ３ファクシミリ装置ＧＸとの間でファクシミリ通信を行うと並列的に、音声チャネルを用い、ＶｏＩＰゲートウェイ装置ＧＷとの間でダミーの音声通信動作を行う。
【００４４】
ここで、ダミーの音声通信動作は、音声データチャネルについて、ＶｏＩＰゲートウェイ装置ＧＷからＲＴＰ／ＲＴＣＰパケットを受信した場合に、必須情報のみのＲＴＰ／ＲＴＣＰパケットを作成し、受信したＲＴＰ／ＲＴＣＰパケットの応答としてＶｏＩＰゲートウェイ装置ＧＷへ送信する。
【００４５】
そして、Ｔ．３８通信動作を終了すると、呼解放手順に従って、ＶｏＩＰゲートウェイ装置ＧＷに呼接続チャネル上でメッセージＲＥＬＥＡＳＥ　ＣＯＭＰＬＥＴＥを送出し、音声データチャネルを解放して、一連の送信動作を終了する。ここで、音声データチャネルの解放のタイミングは、Ｔ．３８通信動作を正常に終了できる期間であれば、任意のタイミングに設定することができる。例えば、Ｔ．３８通信動作の終了手順完了しないタイミングであっても、音声データチャネルの解放動作を行うことができる。
【００４６】
また、ＶｏＩＰゲートウェイ装置ＧＷは、ネットワーク通信装置ＦＸよりメッセージＤＩＳＣＯＮＮＥＣＴを受信すると、グループ３ファクシミリ装置ＧＸとの間の呼を切断する。
【００４７】
このようにして、本実施例では、ファクシミリ通信を行う際にＶｏＩＰゲートウェイ装置ＧＷに送出する呼接続用のメッセージに、通信を要求する通信機能として、Ｔ．３８通信機能（ファクシミリ通信機能）のみならず、音声通信機能も通知するようにしているので、ＶｏＩＰゲートウェイ装置ＧＷが、ファクシミリ通信のみを行おうとすると接続が拒否する態様を示すものであっても、適切に最終宛先のグループ３ファクシミリ装置ＧＸとの間に通信チャネルを確立することができ、適切に送信動作を行うことができる。
【００４８】
また、音声セッションおよびファクシミリデータセッションを同時に確立し、それぞれデータのやり取りを行うことを可能としているので、Ｈ．３２３端末のネットワーク環境下においてファクシミリ通信を行う場合、相手端末の能力に合わせて音声セッションかファクシミリデータセッションを使い分けることができる。また、同時に音声セッションとファクシミリデータセッションも使うことが可能である。
【００４９】
また、ユーザがあて先設定を行う際にＶｏＩＰゲートウェイあて先と終端Ｇ３ファクシミリあて先を検出し、それぞれが設定されている場合のみ上述した動作を行うようにすることで、相手端末がファクシミリデータセッションだけを使用して（例えば、Ｔ．３８）ファクシミリ通信可能な場合、音声セッション確立および擬似音声データも送出する必要がなく、ネットワークのトラフィックやリソースを軽減することができる。
【００５０】
図４は、ネットワーク通信装置ＦＸがファクシミリ通信を行う際の処理の一例を示している。また、この処理は、ユーザが、ＶｏＩＰゲートウェイ装置ＧＷの宛先情報と、最終宛先であるグループ３ファクシミリ装置ＧＸの宛先情報を指定した状態で、送信動作の開始を指令した場合に行われる。例えば、ＶｏＩＰゲートウェイ装置ＧＷを使用しないで、直接他のＴ．３８通信端末等へ送信する場合には、通常のＴ．３８通信動作を行えばよい。
【００５１】
まず、ネットワーク通信装置ＦＸは、呼接続チャネルをＶｏＩＰゲートウェイ装置ＧＷとの間に確立して（処理１０１）、メッセージＳＥＴＵＰを送出する（処理１０２）。このとき、メッセージＳＥＴＵＰには、自端末の通信機能および最終宛先（この場合は、グループ３ファクシミリ装置ＧＸ）の宛先情報が含まれる。また、この場合、メッセージＳＥＴＵＰには、自端末の通信機能として、Ｔ．３８通信機能（リアルタイムファクシミリ通信機能）と、音声通信機能が含まれる。
【００５２】
これにより、ＶｏＩＰゲートウェイ装置ＧＷは、指定された最終宛先であるグループ３ファクシミリ装置ＧＸへ発呼するとともに、ネットワーク通信装置ＦＸに対して、呼接続チャネル上で呼接続手順用のメッセージＣＡＬＬ　ＰＲＯＣＥＥＤＩＮＧ，ＡＬＥＲＴＩＮＧ，ＣＯＮＮＥＣＴを、その呼接続手順に従って順次送出する。
【００５３】
そこで、ネットワーク通信装置ＦＸは、メッセージＣＡＬＬ　ＰＲＯＣ（ＥＥＤＩＮＧ）を受信し（処理１０３）、その受信したメッセージＣＡＬＬ　ＰＲＯＣＥＥＤＩＮＧにＯＬＣ情報が含まれているかどうかを調べる（判断１０４）。判断１０４の結果がＹＥＳになるときには、さらに、音声能力がある旨がＯＬＣ情報に含まれるかどうかを調べる（判断１０５）。
【００５４】
判断１０５の結果がＹＥＳになるときには、ＶｏＩＰゲートウェイ装置ＧＷよりメッセージＡＬＥＲＴＩＮＧ，ＣＯＮＮＥＣＴを順次受信し（処理１０６，１０７）、音声チャネルを確立して音声通信を開始し（処理１０８）、次に、データチャネルを確立してＴ．３８通信（ファクシミリ通信）を開始する（処理１０９）。
【００５５】
そして、これらの通信動作を終了すると、メッセージＲＥＬ（ＥＡＳＥ）　ＣＯＭＰ（ＬＥＴＥ）を送出し（処理１１０）、確立したチャネルを解放して（処理１１１）、このときの通信動作を終了する。
【００５６】
一方、判断１０４の結果がＮＯになるとき、または、判断１０５の結果がＮＯになるときには、次のメッセージＡＬＥＲＴＩＮＧを受信し（処理１１３）、その受信したメッセージＡＬＥＲＴＩＮＧにＯＬＣ情報が含まれているかどうかを調べる（判断１１４）。判断１１４の結果がＹＥＳになるときには、さらに、音声能力がある旨がＯＬＣ情報に含まれるかどうかを調べる（判断１１５）。
【００５７】
判断１１５の結果がＹＥＳになるときには、処理１０７へ移行し、ＶｏＩＰゲートウェイ装置ＧＷよりメッセージＣＯＮＮＥＣＴを順次受信し、それ以降の動作を行う。
【００５８】
また、判断１１４の結果がＮＯになるとき、または、判断１１５の結果がＮＯになるときには、次のメッセージＣＯＮＮＥＣＴを受信し（処理１１６）、その受信したメッセージＣＯＮＮＥＣＴにＯＬＣ情報が含まれているかどうかを調べる（判断１１７）。判断１１７の結果がＹＥＳになるときには、さらに、音声能力がある旨がＯＬＣ情報に含まれるかどうかを調べる（判断１１８）。
【００５９】
判断１１８の結果がＹＥＳになるときには、処理１０８へ移行し、音声チャネルを確立して音声通信を開始し、それ以降の動作を実行する。また、判断１１８の結果がＮＯになるときには、処理１０９へ移行し、データチャネルを確立してＴ．３８通信（ファクシミリ通信）を開始し、それ以降の動作を実行する。
【００６０】
また、判断１１７の結果がＮＯになるときには、処理１１０へ移行し、メッセージＲＥＬ　ＣＯＭＰを送出して、呼接続チャネルの解放を行う。
【００６１】
図５は、音声チャネルを確立中に行うダミーの音声通信動作の一例を示している。
【００６２】
まず、その時点で音声チャネルが確立中であるかどうかを調べ（判断２０１）、判断２０１の結果がＹＥＳになるときには、ＲＴＣ／ＲＴＣＰパケットを受信するかどうかを監視し（判断２０２のＮＯループ）、判断２０２の結果がＹＥＳになるときには、ダミー音声応答パケットを作成して、応答し（処理２０３）、判断２０１へ戻る。
【００６３】
ここで、ＲＴＣ／ＲＴＣＰパケットを受信してから、ダミー音声応答パケットを送出するまでの時間は、３０秒以内に行えばよい。また、ＲＴＣ／ＲＴＣＰパケットおよびダミー音声応答パケットの形式等は、ＩＴＵ−Ｔ標準Ｈ．３２３，Ｈ．２５５．０，Ｈ．２４５に従う。
【００６４】
【発明の効果】
以上説明したように、本発明によれば、音声セッションおよびファクシミリデータセッションを同時に確立し、それぞれデータのやり取りを行うことを可能としているので、Ｈ．３２３端末のネットワーク環境下においてファクシミリ通信を行う場合、相手端末の能力に合わせて音声セッションかファクシミリデータセッションを使い分けることができるという効果を得る。また、同時に音声セッションとファクシミリデータセッションも使うことが可能であるという効果も得る。
【００６５】
また、相手端末に擬似音声能力を通知し、ファクシミリ通信が終了するまで擬似的に音声データのやりとりを行っているので、音声能力がないとファクシミリ通信が出来ない、もしくはファクシミリデータセッションを確立できないＨ．３２３端末に対してもファクシミリデータセッションを確立してファクシミリ通信することが可能であり、音声能力がないことによるエラー検出をファクシミリ通信が終了するまで遅らせることができるという効果も得る。
【図面の簡単な説明】
【図１】本発明の一実施例にかかる通信ネットワークの一例を示したブロック図。
【図２】ネットワーク通信装置ＦＸの一例を示したブロック図。
【図３】ネットワーク通信装置ＦＸが、ＶｏＩＰゲートウェイ装置ＧＷを介して、グループ３ファクシミリ装置ＧＸと通信するときの手順の一例を示したタイミングチャート。
【図４】ネットワーク通信装置ＦＸがファクシミリ通信を行う際の処理の一例を示したフローチャート。
【図５】音声チャネルを確立中に行うダミーの音声通信動作の一例を示したフローチャート。
【符号の説明】
ＦＸ　ネットワーク通信装置
ＧＷ　ＶｏＩＰゲートウェイ装置
ＧＸ　グループ３ファクシミリ装置
【図１】
2004096326.tif 000003
【図２】
2004096326.tif 000004
【図３】
2004096326.tif 000005
【図４】
2004096326.tif 000006
【図５】
2004096326.tif 000007